(57)【要約】【課題】各種電子機器に用いられるレバースイッチに関し、レバーの大きな戻り力が得られ、確実な操作が可能なものを提供することを目的とする。【解決手段】可動接点１４の湾曲部１４Ａから側方へ延出した上アーム部１４Ｄを、レバー１３下面に弾接させると共に、この上アーム部１４Ｄ端部に下方へ延出し、レバー１３の揺動に応じて端部がケース１１に弾接する折曲部１４Ｆを設けることによって、レバー１３を揺動操作した際、弾性変形した可動接点１４の上アーム部１４Ｄのほぼ全面がレバー１３下面に弾接すると共に、ケース１１に弾接した折曲部１４Ｆも弾性変形し、これらによってレバー１３を元の状態に復帰させることができるため、大きな戻り力で、確実な操作が可能なレバースイッチを得ることができる。【選択図】図１
2014132526.tif 000002
【特許請求の範囲】
【請求項１】
内底面に複数の固定接点が植設された上面開口で略箱形のケースと、このケース内に一端を支点として揺動可能に収納され、他端の操作部が上記ケースから上方へ突出したレバーと、湾曲部から下方へ延出した下アーム部端部の接点部が、上記ケース内底面または上記固定接点に弾接した可動接点からなり、上記可動接点の湾曲部から側方へ延出した上アーム部を、上記レバー下面に弾接させると共に、この上アーム部端部に下方へ延出し、上記レバーの揺動に応じて端部が上記ケースに弾接する折曲部を設けたレバースイッチ。
【発明の詳細な説明】
【技術分野】
【０００１】
本発明は、各種電子機器において、主に記録媒体の有無やメカニズムの動作検出等に用いられるレバースイッチに関するものである。
【背景技術】
【０００２】
近年、パーソナルコンピュータや電子カメラ等の各種電子機器の小型化や高機能化が進むなか、これらのディスクやカード等の記録媒体の有無、あるいはトレイの挿抜等のメカニズムの動作検出等に用いられるレバースイッチにおいても、小型薄型で動作の確実なものが求められている。
【０００３】
このような従来のレバースイッチについて、図６及び図７を用いて説明する。
【０００４】
図６は従来のレバースイッチの断面図であり、同図において、１は絶縁樹脂製で上面開口の略箱形のケース、２は導電金属薄板製の固定接点で、複数の固定接点２がケース１の内底面に、前後方向に並列に植設固定されている。
【０００５】
そして、３は絶縁樹脂製のレバーで、右端の支点部３Ａを支点としてケース１内に揺動可能に収納されると共に、左端にはケース１上面から上方へ突出する操作部３Ｂが形成されている。
【０００６】
また、４は略Ｖ字状で弾性金属薄板製の可動接点で、やや撓んだ状態でケース１内に収納され、中間の湾曲部４Ａから下方へ延出した下アーム部４Ｂ下端の、接点部４Ｃがケース１の内底面に弾接すると共に、レバー３下面の下方へ突出形成された押圧部３Ｃが、可動接点４の湾曲部４Ａ近傍に弾接している。
【０００７】
さらに、可動接点４の湾曲部４Ａから側方へ延出した上アーム部４Ｄ右端の、上面がレバー３右端下面の突起部３Ｄに弾接すると共に、下面がケース１の保持部１Ａに係止されて、レバースイッチが構成されている。
【０００８】
そして、このように構成されたレバースイッチが、上下面に複数の配線パターンが形成された配線基板（図示せず）上に載置され、ケース１から外方へ延出した複数の固定接点２の端部が、所定の配線パターンに半田付けされて、機器の電子回路（図示せず）に電気的に接続される。
【０００９】
以上の構成において、機器にディスクやカード等の記録媒体、あるいはトレイ等が挿入されると、これらによってケース１から上方へ突出した操作部３Ｂが、上方または側方から押圧されて、レバー３が支点部３Ａを支点として下方向へ揺動し、押圧部３Ｃ下面が可動接点４の湾曲部４Ａ近傍を押圧するため、可動接点４がさらに撓んで、下アーム部４Ｂ下端の接点部４Ｃが、ケース１内底面上を右方向へ弾接摺動する。
【００１０】
そして、操作部３Ｂが所定量押圧されると、図７の断面図に示すように、下アーム部４Ｂ下端の接点部４Ｃが固定接点２上面に弾接し、複数の固定接点２が可動接点４を介して電気的に接続された状態となる。
【００１１】
また、記録媒体やトレイ等が抜去されて、レバー３への押圧力が解除されると、可動接点４の弾性復帰力によって、レバー３が上方に押圧されて揺動すると共に、下アーム部４Ｂ下端の接点部４Ｃが固定接点２から離れ、左方のケース１内底面へ弾接摺動して、複数の固定接点２が電気的に切断された元の状態に復帰する。
【００１２】
そして、このようなレバースイッチの電気的接離から、機器の電子回路が記録媒体やトレイ等の挿抜を検出して、例えばレーザ光の照射や停止等の、機器の様々な機能の切換えが行われる。
【００１３】
つまり、機器への記録媒体やトレイ等の挿抜等によって、操作部３Ｂを押圧、あるいは押圧力を解除して、レバー３を揺動操作し、複数の固定接点２の電気的接離を行わせると共に、これらの電気的接離によって機器の電子回路が、ディスク等の記録媒体の有無や、トレイの挿抜等のメカニズム動作を検出するように構成されているものであった。
【００１４】
なお、この出願の発明に関連する先行技術文献情報としては、例えば、特許文献１が知られている。
【先行技術文献】
【特許文献】
【００１５】
【特許文献１】特開２０１２−８９３６３号公報
【発明の概要】
【発明が解決しようとする課題】
【００１６】
しかしながら、上記従来のレバースイッチにおいては、レバー３を揺動操作した際には、可動接点４が撓むことによって、接点部４Ｃが固定接点２に弾接する力は大きなものとなっているが、押圧力が解除されレバー３が元の状態に復帰する力、いわゆる戻り力は、押圧部３Ｃ下面が湾曲部４Ａ近傍に弾接し小さな力となっているため、充分な戻り力を得ることが困難であるという課題があった。
【００１７】
本発明は、このような従来の課題を解決するものであり、大きな戻り力が得られ、確実な操作が可能なレバースイッチを提供することを目的とする。
【課題を解決するための手段】
【００１８】
上記目的を達成するために本発明は、可動接点の湾曲部から側方へ延出した上アーム部を、レバー下面に弾接させると共に、この上アーム部端部に下方へ延出し、レバーの揺動に応じて端部がケースに弾接する折曲部を設けて、レバースイッチを構成したものであり、レバーを揺動操作した際、弾性変形した可動接点の上アーム部のほぼ全面がレバー下面に弾接すると共に、ケースに弾接した折曲部も弾性変形し、これらによってレバーを元の状態に復帰させることができるため、大きな戻り力で、確実な操作が可能なレバースイッチを得ることができるという作用を有するものである。
【発明の効果】
【００１９】
以上のように本発明によれば、レバーの大きな戻り力が得られ、確実な操作が可能なレバースイッチを実現することができるという有利な効果が得られる。
【図面の簡単な説明】
【００２０】
【図１】本発明の一実施の形態によるレバースイッチの断面図
【図２】同分解斜視図
【図３】同操作時の断面図
【図４】同操作時の断面図
【図５】同他の形態による断面図
【図６】従来のレバースイッチの断面図
【図７】同操作時の断面図
【発明を実施するための形態】
【００２１】
以下、本発明の実施の形態について、図１〜図５を用いて説明する。
【００２２】
（実施の形態）
図１は本発明の一実施の形態によるレバースイッチの断面図、図２は同分解斜視図であり、同図において、１１は上面開口で液晶ポリマーやポリフェニレンサルファイド等の絶縁樹脂製の略箱形のケース、１２は銅合金等の導電金属薄板製の固定接点で、複数の固定接点１２がケース１１の内底面に、インサート成形等によって前後方向に並列に植設固定されると共に、各々の先端部１２Ａと１２Ｂがケース１１前面の左右端から外方へ延出している。
【００２３】
そして、１３は液晶ポリマーやナイロン等の絶縁樹脂製のレバーで、右端の支点部１３Ａを支点としてケース１１内に揺動可能に収納されると共に、左端にはケース１１上面から上方へ突出する操作部１３Ｂが、右端下面にはケース１１右側面の開口部内に延出する突起部１３Ｃが各々形成されている。
【００２４】
また、１４は略Ｖ字状で銅合金等の弾性金属薄板製の可動接点で、やや撓んだ状態でケース１１内に収納され、中間の湾曲部１４Ａから下方へ延出した一対の下アーム部１４Ｂ下端の、複数の接点部１４Ｃがケース１１の内底面に弾接すると共に、湾曲部１４Ａから側方へ延出した上アーム部１４Ｄには、貫通孔１４Ｅが設けられている。
【００２５】
さらに、この貫通孔１４Ｅ内に、レバー１３下面に突出形成された支持部１３Ｄが挿入されて、上アーム部１４Ｄのほぼ全面がレバー１３下面に弾接すると共に、上アーム部１４Ｄ右端には下方へ延出し、やや細幅の右端がケース１１の保持部１１Ａと、所定の間隙を空けて対向する略Ｌ字状の折曲部１４Ｆが形成されて、レバースイッチが構成されている。
【００２６】
そして、このように構成されたレバースイッチが、上下面に複数の配線パターンが形成された配線基板（図示せず）上に載置され、ケース１１から外方へ延出した複数の固定接点１２の先端部１２Ａと１２Ｂが、所定の配線パターンに半田付けされて、機器の電子回路（図示せず）に電気的に接続される。
【００２７】
以上の構成において、機器にディスクやカード等の記録媒体、あるいはトレイ等が挿入されると、これらによってケース１１から上方へ突出した操作部１３Ｂが、上方または側方から押圧されて、図３の断面図に示すように、レバー１３が支点部１３Ａを支点として下方向へ揺動し、レバー１３下面が可動接点１４の上アーム部１４Ｄを押圧するため、可動接点１４がさらに撓んで、下アーム部１４Ｂ下端の接点部１４Ｃが、ケース１１内底面上を右方向へ弾接摺動する。
【００２８】
なお、この時、レバー１３が揺動し始めた状態では、略Ｌ字状の折曲部１４Ｆの右端が、ケース１１の保持部１１Ａに接していないため、軽い力で揺動するが、操作部１３Ｂがある程度押圧されると、折曲部１４Ｆ右端が保持部１１Ａに当接し、この後は湾曲部１４Ａや下アーム部１４Ｂ、上アーム部１４Ｄと共に、折曲部１４Ｆも弾性変形して、接点部１４Ｃがケース１１内底面上を右方向へ弾接摺動する。
【００２９】
そして、操作部１３Ｂが所定量押圧されると、図４の断面図に示すように、下アーム部１４Ｂ下端の接点部１４Ｃが固定接点１２上面に弾接し、複数の固定接点１２が可動接点１４を介して電気的に接続された状態となる。
【００３０】
また、記録媒体やトレイ等が抜去されて、レバー１３への押圧力が解除されると、可動接点１４の弾性復帰力によって、レバー１３が上方に押圧されて揺動すると共に、下アーム部１４Ｂ下端の接点部１４Ｃが固定接点１２から離れ、左方のケース１１内底面へ弾接摺動して、複数の固定接点１２が電気的に切断された元の状態に復帰する。
【００３１】
なお、この時、弾性変形した可動接点１４の、上アーム部１４Ｄのほぼ全面がレバー１３下面に弾接して、レバー１３が上方に押圧されると共に、湾曲部１４Ａや下アーム部１４Ｂ、上アーム部１４Ｄの弾性復帰力に加え、右端がケース１１の保持部１１Ａに弾接し、弾性変形した折曲部１４Ｆの復帰力も加わった、大きな戻り力でレバー１３が元の状態に復帰する。
【００３２】
そして、このようなレバースイッチの電気的接離から、機器の電子回路が記録媒体やトレイ等の挿抜を検出して、例えばレーザ光の照射や停止等の、機器の様々な機能の切換えが行われる。
【００３３】
つまり、機器への記録媒体やトレイ等の挿抜等によって、操作部１３Ｂを押圧、あるいは押圧力を解除して、レバー１３を揺動操作し、複数の固定接点１２の電気的接離を行わせると共に、これらの電気的接離によって機器の電子回路が、ディスク等の記録媒体の有無や、トレイの挿抜等のメカニズム動作を検出するように構成されている。
【００３４】
そして、この時、本発明においては、可動接点１４の湾曲部１４Ａから側方へ延出した上アーム部１４Ｄを、レバー１３下面に弾接させると共に、この上アーム部１４Ｄ端部に下方へ延出し、レバー１３の揺動によって端部がケース１１に弾接する折曲部１４Ｆを設けることで、レバー１３を揺動操作した際に、大きな戻り力でレバー１３を元の状態に復帰させて、確実な操作が行えるようになっている。
【００３５】
すなわち、弾性変形した可動接点１４の上アーム部１４Ｄのほぼ全面が、レバー１３下面に弾接し、この可動接点１４の弾性復帰力によって、レバー１３が上方に押圧されると共に、湾曲部１４Ａや下アーム部１４Ｂ、上アーム部１４Ｄの弾性復帰力に加え、レバー１３の揺動によって端部がケース１１に弾接し、弾性変形した折曲部１４Ｆの弾性復帰力も加わった、大きな力でレバー１３の復帰が行われるように構成されている。
【００３６】
また、上アーム部１４Ｄの貫通孔１４Ｅ内に、レバー１３下面の支持部１３Ｄを挿入して、可動接点１４をケース１１内に収納することによって、可動接点１４を前後及び左右方向にガタつきなく、レバー１３下面に装着することができるようになっている。
【００３７】
さらに、レバー１３の揺動に伴って、ケース１１の保持部１１Ａに弾接する折曲部１４Ｆの右端を、湾曲部１４Ａや上アーム部１４Ｄとは異なる幅寸法に形成し、これを様々な幅寸法とすることで、折曲部１４Ｆの弾性復帰力を所望の力に調整することも可能となる。
【００３８】
なお、以上の説明では、上アーム部１４Ｄ右端に、略Ｌ字状の折曲部１４Ｆを設けた構成について説明したが、図５の断面図に示すように、上アーム部１４Ｄ右端に、略円弧状の折曲部１４Ｇを形成し、この右端をレバー１３の揺動によって、ケース１１の保持部１１Ａに弾接させる構成としても、本発明の実施は可能である。
【００３９】
また、以上の説明では、レバー１３を揺動操作すると、下アーム部１４Ｂ下端の接点部１４Ｃがケース１１内底面上を弾接摺動して、複数の固定接点１２が電気的に接続される構成について説明したが、これとは逆に、レバー１３が揺動操作されていない状態では、複数の固定接点１２に接点部１４Ｃが弾接して電気的に接続され、レバー１３を揺動操作すると、接点部１４Ｃがケース１１内底面上へ弾接摺動して複数の固定接点１２から離れ、これらが電気的に切断される構成としても、本発明の実施は可能である。
【００４０】
このように本実施の形態によれば、可動接点１４の湾曲部１４Ａから側方へ延出した上アーム部１４Ｄを、レバー１３下面に弾接させると共に、この上アーム部１４Ｄ端部に下方へ延出し、レバー１３の揺動に応じて端部がケース１１に弾接する折曲部１４Ｆや１４Ｇを設けることによって、レバー１３を揺動操作した際、弾性変形した可動接点１４の上アーム部１４Ｄのほぼ全面がレバー１３下面に弾接すると共に、ケース１１に弾接した折曲部１４Ｆや１４Ｇも弾性変形し、これらによってレバー１３を元の状態に復帰させることができるため、大きな戻り力が得られ、確実な操作が可能なレバースイッチを得ることができるものである。
【産業上の利用可能性】
【００４１】
本発明によるレバースイッチは、大きな戻り力で、確実な操作が可能なものを得ることができるという有利な効果を有し、主に各種電子機器に使用される検出用スイッチとして有用である。
【符号の説明】
【００４２】
１１  ケース
１１Ａ  保持部
１２  固定接点
１２Ａ、１２Ｂ  先端部
１３  レバー
１３Ａ  支点部
１３Ｂ  操作部
１３Ｃ  突起部
１３Ｄ  支持部
１４  可動接点
１４Ａ  湾曲部
１４Ｂ  下アーム部
１４Ｃ  接点部
１４Ｄ  上アーム部
１４Ｅ  貫通孔
１４Ｆ、１４Ｇ  折曲部
【図１】
2014132526.tif 000003
【図２】
2014132526.tif 000004
【図３】
2014132526.tif 000005
【図４】
2014132526.tif 000006
【図５】
2014132526.tif 000007
【図６】
2014132526.tif 000008
【図７】
2014132526.tif 000009